(57)【特許請求の範囲】
【請求項１】
被処理水としてのバラスト水を濾過して濾過処理水を得るフィルタと、
前記フィルタに向けて被処理水が流通する被処理水導入ラインと、
前記フィルタで濾過された濾過処理水が、濾過処理水を貯留処理水として貯留する複数のバラストタンクへ向けて選択的に流通するか、又は、前記複数のバラストタンクから選択的に排出されるバラスト水が流通する処理水ラインと、
切替信号に基づいて、流通先の複数の前記バラストタンクを切り替えるか又は排出元の複数の前記バラストタンクを切り替える切替手段と、
濾過処理水及び貯留処理水に対して紫外線の照射を行う紫外線照射部と、
前記紫外線照射部を通過する水の流量を調整する紫外線照射部通過流量調整手段と、
前記切替信号に基づいて、前記紫外線照射部を通過する水の流量を減少させるように前記紫外線照射部通過流量調整手段を制御する流量制御手段と、を備えるバラスト水処理装置。
【請求項２】
被処理水としてのバラスト水を濾過して濾過処理水を得るフィルタと、
前記フィルタに向けて被処理水が流通する被処理水導入ラインと、
前記フィルタで濾過された濾過処理水が、濾過処理水を貯留処理水として貯留する複数のバラストタンクへ向けて選択的に流通するか、又は、前記複数のバラストタンクから選択的に排出されるバラスト水が流通する処理水ラインと、
切替信号に基づいて、流通先の複数の前記バラストタンクを切り替えるか又は排出元の複数の前記バラストタンクを切り替える切替手段と、
濾過処理水及び／又は貯留処理水に対して紫外線の照射を行う紫外線照射部と、
前記紫外線照射部を通過する水の流量を調整する紫外線照射部通過流量調整手段と、
前記切替信号に基づいて、前記紫外線照射部を通過する水の流量を減少させるように前記紫外線照射部通過流量調整手段を制御する流量制御手段と、を備えるバラスト水処理装置であって、
前記紫外線照射部は、紫外線ランプと、前記紫外線ランプを直接的に又は間接的に収容し且つ前記紫外線ランプからの紫外線が透過する透過領域を有する収容部材と、前記収容部材に接触しながら移動して前記収容部材の前記透過領域を清掃する清掃部材と、を有し、
バラスト水処理装置は、
前記紫外線ランプから出射され且つ前記透過領域を透過した紫外線の照度を測定する紫外線照度センサと、
前記清掃部材が前記透過領域を遮るタイミングに基づいて、前記紫外線ランプの出力を維持又は増加するように前記紫外線照射部を制御する照射部制御手段と、を更に備える、バラスト水処理装置。
【請求項３】
前記切替手段の切替操作を受け付ける切替操作部を更に備え、
前記切替操作部は、前記切替手段の切替操作を受け付けると前記切替信号を出力するように構成されている、
請求項１又は２に記載のバラスト水処理装置。
【請求項４】
貯留処理水の貯留量を測定する貯留量測定手段を更に備え、
前記貯留量測定手段は、前記貯留量測定手段により測定される貯留処理水の貯留量に基づいて、前記切替信号を出力するように構成されている、
請求項１又は２に記載のバラスト水処理装置。
【発明の詳細な説明】
【技術分野】
【０００１】
本発明は、バラスト水に対して紫外線処理を行うバラスト水処理装置に関する。
【背景技術】
【０００２】
タンカー等の船舶において、積み荷の原油等を降ろした後、再度目的地に向けて航行する際、航行中の船舶のバランスを取るため、一般的に、船舶に設けられたバラストタンク内にバラスト水と呼ばれる水を貯留する。バラスト水は、基本的に荷上港で取水されて、荷積港で排出される。そのため、それらの場所が異なっていれば、バラスト水中に含まれるプランクトンや細菌類の微生物が世界中を移動することになる。従って、荷上港と異なる海域の荷積港でバラスト水を排出すると、その港に別の海域の微生物を放出することになり、その海域の生態系を破壊するおそれがある。
【０００３】
船舶に貯留されるバラスト水や、その他汚染物質を含んだ汚染水などの被処理水を濾過するものとして、内部に流入した被処理水を濾過して外部へ流出させる円筒状のフィルタを備えた濾過器を有するバラスト水処理装置が知られている。バラスト水処理装置は、バラスト水の殺菌を行うために、バラスト水に対して紫外線を照射する紫外線処理を行う紫外線照射部を有している。紫外線照射部は、濾過器のフィルタにより濾過されたバラスト水（濾過処理水）に対して紫外線を照射して殺菌を行う（例えば、特許文献１参照）。
【先行技術文献】
【特許文献】
【０００４】
【特許文献１】特開２０１３−０２３１８７号公報
【発明の概要】
【発明が解決しようとする課題】
【０００５】
船舶は、バラストタンクを複数有している。複数のバラストタンクに対して、紫外線処理を行ったバラスト水を各バラストタンクへ１つずつ供給できるように、また、複数のバラストタンクから適宜バラストタンクを選択して、選択されたバラストタンクからバラスト水を排出することができるように、船舶は、流通先切替手段を有している。
【０００６】
また、紫外線照射部から照射される紫外線は、紫外線照度センサにより照度が検出される。また、紫外線照射部を流通するバラスト水の流量は、流量計により検出される。制御部による制御により、紫外線照射部を流通するバラスト水の流量に対して十分な照度で紫外線をバラスト水に対して照射することができるように、流量計により検出された流量、及び、紫外線センサにより検出された照度に基づき、紫外線照射部から照射される紫外線の照度は、制御され、調整される。また、紫外線処理されるバラスト水の流量が定格処理流量内に収まるように、流量調整弁にて流量が、制御され、調整される。
【０００７】
流通先切替手段によって、例えば、紫外線処理を行ったバラスト水の供給先を切替える際には、先ず、一のバラストタンクへバラスト水を供給してゆき、一のバラストタンクにおいて、所定の量のバラストタンクが貯留された状態になったときに、他のバラストタンクへバラスト水の供給先が切替えられる。このとき、他のバラストタンクにおいてバラスト水が空の状態の場合には、バラスト水が流入する際の抵抗が急激に小さくなり、今まで一のバラストタンクへ流入していたバラスト水の流量から遥かに多い流量へ急激に流量が変化する。この流量の変化に、流量調整弁の制御が追従できなかったり、紫外線照射部からの紫外線の照度の調整が追従できず、紫外線照射部によりバラスト水に対して十分に殺菌を行うことができなくなるおそれがある。
また、このような各バラストタンクへのバラスト水の供給時だけでなく、各バラストタンクからのバラスト水の排出時にも、同様のことが発生する可能性がある。
【０００８】
本発明は、一のバラストタンクから他のバラストタンクへバラスト水の流通先を切替えたときに、バラスト水に対して紫外線を十分に照射して殺菌を行うことができるバラスト水処理装置を提供することを目的とする。
【課題を解決するための手段】
【０００９】
本発明は、被処理水としてのバラスト水を濾過して濾過処理水を得るフィルタと、前記フィルタに向けて被処理水が流通する被処理水導入ラインと、前記フィルタで濾過された濾過処理水が、濾過処理水を貯留処理水として貯留する複数のバラストタンクへ向けて選択的に流通するか、又は、前記複数のバラストタンクから選択的に排出されるバラスト水が流通する処理水ラインと、切替信号に基づいて、流通先の複数の前記バラストタンクを切り替えるか又は排出元の複数の前記バラストタンクを切り替える切替手段と、濾過処理水及び貯留処理水に対して紫外線の照射を行う紫外線照射部と、前記紫外線照射部を通過する水の流量を調整する紫外線照射部通過流量調整手段と、前記切替信号に基づいて、前記紫外線照射部を通過する水の流量を減少させるように前記紫外線照射部通過流量調整手段を制御する流量制御手段と、を備えるバラスト水処理装置に関する。
また、本発明は、被処理水としてのバラスト水を濾過して濾過処理水を得るフィルタと、前記フィルタに向けて被処理水が流通する被処理水導入ラインと、前記フィルタで濾過された濾過処理水が、濾過処理水を貯留処理水として貯留する複数のバラストタンクへ向けて選択的に流通するか、又は、前記複数のバラストタンクから選択的に排出されるバラスト水が流通する処理水ラインと、切替信号に基づいて、流通先の複数の前記バラストタンクを切り替えるか又は排出元の複数の前記バラストタンクを切り替える切替手段と、濾過処理水及び／又は貯留処理水に対して紫外線の照射を行う紫外線照射部と、前記紫外線照射部を通過する水の流量を調整する紫外線照射部通過流量調整手段と、前記切替信号に基づいて、前記紫外線照射部を通過する水の流量を減少させるように前記紫外線照射部通過流量調整手段を制御する流量制御手段と、を備えるバラスト水処理装置であって、前記紫外線照射部は、紫外線ランプと、前記紫外線ランプを直接的に又は間接的に収容し且つ前記紫外線ランプからの紫外線が透過する透過領域を有する収容部材と、前記収容部材に接触しながら移動して前記収容部材の前記透過領域を清掃する清掃部材と、を有し、バラスト水処理装置は、前記紫外線ランプから出射され且つ前記透過領域を透過した紫外線の照度を測定する紫外線照度センサと、前記清掃部材が前記透過領域を遮るタイミングに基づいて、前記紫外線ランプの出力を維持又は増加するように前記紫外線照射部を制御する照射部制御手段と、を更に備える、バラスト水処理装置に関する。
【００１０】
また、前記切替手段の切替操作を受け付ける切替操作部を更に備え、前記切替操作部は、前記切替手段の切替操作を受け付けると前記切替信号を出力するように構成されていることが好ましい。
【００１１】
また、貯留処理水の貯留量を測定する貯留量測定手段を更に備え、前記貯留量測定手段は、前記貯留量測定手段により測定される貯留処理水の貯留量に基づいて、前記切替信号を出力するように構成されていることが好ましい。
【発明の効果】
【００１３】
本発明によれば、一のバラストタンクから他のバラストタンクへバラスト水の流通先を切替えたときに、バラスト水に対して紫外線を十分に照射して殺菌を行うことができるバラスト水処理装置を提供することができる。
【図面の簡単な説明】
【００１４】
【図１】本発明の第１実施形態のバラスト水処理装置１を示すフロー図である。
【図２】本発明の第１実施形態のバラスト水処理装置１の紫外線リアクタ６１を示す、バラスト水Ｗ２の流れに沿った断面図である。
【図３】本発明の第１実施形態のバラスト水処理装置１の紫外線リアクタ６１を示す、バラスト水Ｗ２の流れに直交する方向における断面図である。
【図４】本発明の第２実施形態のバラスト水処理装置１の制御部９における、バラストタンク６２へのバラスト水Ｗ２の供給の制御を示すフローチャートである。
【図５】本発明の第２実施形態のバラスト水処理装置１の制御部９における、バラストタンク６２からのバラスト水Ｗ３の排出の制御を示すフローチャートである。
【発明を実施するための形態】
【００１５】
本発明の第１実施形態のバラスト水処理装置１について、図面を参照しながら説明する。図１は、本発明の第１実施形態のバラスト水処理装置１を示すフロー図である。
〔第１実施形態〕
図１に示すように、バラスト水処理装置１は、バラスト水濾過装置２と、紫外線リアクタ６１と、逆洗水供給手段７と、制御部９と、を備える。制御部９は、制御対象の各機器を制御可能に、各機器に信号線（不図示）により接続されている。バラスト水処理装置１には、その外部構成として、バラストタンク６２が接続されている。
【００１６】
バラスト水処理装置１は、ラインとして、被処理水導入ラインＬ１と、被処理水排出ラインＬ２と、処理水ラインＬ１１と、貯留処理水排出ラインＬ１２と、逆洗水流通ラインＬ２１と、エア抜きラインＬ３１と、を備える。「ライン」とは、流路、経路、管路等の流体の流通が可能なラインの総称である。
【００１７】
バラスト水濾過装置２は、ケーシング５１と、フィルタ５２と、フィルタ回転手段３と、吸引ノズル４と、逆洗水噴射ノズル６と、逆洗汚水排出手段５と、を備える。
【００１８】
ケーシング５１は、円筒状であり、その内部にフィルタ５２を収納する。フィルタ５２は、全体視で円筒状であり、内部に流入した被処理水（バラスト水）Ｗ１（主に海水）を濾過してバラスト水（濾過処理水）Ｗ２として外部へ流出させる。フィルタ回転手段３は、フィルタ５２を、その軸心を中心に回転させる。吸引ノズル４は、フィルタ５２の一次側に設けられ、フィルタ５２の内周面（内面）に向かって開口する。
【００１９】
逆洗水噴射ノズル６は、フィルタ５２の二次側に設けられ、フィルタ５２の外周面に向かって、バラスト水処理運転中に逆洗水を噴射する。逆洗水噴射ノズル６からの逆洗水の噴射は、ケーシング５１及びフィルタ５２の内部にバラスト水（Ｗ２，Ｗ１）が存在する（満たされる）状態で行われる。
【００２０】
逆洗汚水排出手段５は、吸引ノズル４で吸引された逆洗汚水Ｗ１１を、ケーシング５１の内部から外部へ排出する。
【００２１】
紫外線リアクタ６１は、バラスト水濾過装置２のフィルタ５２により濾過されたバラスト水（濾過処理水）Ｗ２に対して紫外線を照射して殺菌を行う。紫外線リアクタ６１の詳細については、後述する。
バラストタンク６２（６２―１、６２−２、６２−３）は、複数設けられている。バラストタンク６２は、紫外線リアクタ６１により紫外線の照射が行われたバラスト水（濾過処理水）Ｗ２を、貯留処理水Ｗ３として貯留する。
【００２２】
バラストタンク６２は、貯留量測定手段としての水位検出手段４２を備えている。水位検出手段４２は、バラストタンク６２に貯留される貯留処理水Ｗ３の水位を検出することにより貯留量を検出し、例えば、検出水位が、バラストタンク６２（６２―１、６２−２、６２−３）において満水に近い第１の特定の水位や、バラストタンク６２（６２―１、６２−２、６２−３）において空に近い第２の特定の水位に達していることを検出する。水位検出手段４２は、バラストタンク６２の内部の水位が第１の特定の水位、第２の特定の水位に達していることを検出したときに、制御部９へ検出信号を発信するように構成される。
また、紫外線リアクタ６１は、バラストタンク６２に貯留されるバラスト水（貯留処理水）Ｗ３を船外へ排出する際に、貯留処理水Ｗ３に対して紫外線を照射して殺菌を行う。
【００２３】
制御部９は、フィルタ５２の一次側と二次側との差圧などに基づいて、逆洗水の噴射の有無、逆洗水の噴射時の噴射圧力などを制御する。また、制御部９は、後述の切替信号に基づいて、紫外線リアクタ６１を通過する水の流量を減少させるように紫外線照射部通過流量調整手段としての汲み上げポンプＰ１、ポンプＰ１１、ポンプＰ２１、バルブＶ１、バルブＶ２、バルブＶ１１、バルブＶ１２、バルブＶ１３、バルブＶ３１、バルブＶ３２を制御する流量制御手段を構成する。また、制御部９は、後述の清掃部材としての保護管清掃材６１８が後述の保護管６１３の周面の透過領域を遮るタイミングに基づいて、紫外線ランプ６１２の出力を維持するように紫外線リアクタを制御する照射部制御手段を構成する。バラスト水濾過装置２及び制御部９の詳細については後述する。
【００２４】
次に、各ラインについて詳述する。被処理水導入ラインＬ１は、一端部から被処理水Ｗ１（主に海水）が導入され、他端部において被処理水導入口２０に接続しており、被処理水Ｗ１がバラスト水濾過装置２の被処理水導入口２０に向けて流通するラインである。被処理水導入ラインＬ１には、汲み上げポンプＰ１、バルブＶ１、接続部Ｊ１、被処理水導入口２０がこの順で設けられている。
被処理水排出ラインＬ２は、一端部において被処理水導入ラインＬ１の接続部Ｊ１に接続しており、他端部からフィルタ５２内の水（バラスト水Ｗ１）が排出されるラインである。
汲み上げポンプＰ１、バルブＶ１、バルブＶ１１は、紫外線照射部としての紫外線リアクタ６１を通過する水の流量を調整する紫外線照射部通過流量調整手段を構成する。
【００２５】
処理水ラインＬ１１は、一端部においてバラスト水濾過装置２の処理水流出口２６に接続しており、途中の接続部Ｊ１２で複数のバラストタンク６２−１、６２−２、６２−３に対して１つずつ分岐し、他端部において複数のバラストタンク６２−１、６２−２、６２−３にそれぞれ１つずつ接続しており、バラスト水濾過装置２で濾過処理されたバラスト水（濾過処理水）Ｗ２が複数のバラストタンク６２に向けて選択的に流通するラインである。処理水ラインＬ１１には、処理水流出口２６、接続部Ｊ２１、バルブＶ１１、接続部Ｊ１１、紫外線リアクタ６１、流量計４３、接続部Ｊ１２、バルブＶ１２、バラストタンク６２がこの順で設けられている。
【００２６】
バルブＶ１２は、複数の流通先切替バルブＶ１２１、１２２、１２３（以下「切替バルブＶ１２１、Ｖ１２２、Ｖ１２３」と言う）により構成されており、切替バルブＶ１２１、１２２、１２３は、分岐した処理水ラインＬ１１において１つずつ設けられている。切替バルブＶ１２１、１２２、１２３においては、切替バルブＶ１２１、１２２、１２３の切替操作を受け付ける切替操作部としての操作スイッチ（図示せず）が、作業者により操作されて、制御部９により開閉が制御される。切替バルブＶ１２１、１２２、１２３の切替操作が受け付けられることにより、操作スイッチ（図示せず）は、切替信号を制御部９に対して出力する。そして制御部９による制御により、例えば、切替バルブＶ１２１、Ｖ１２３が閉じられ、切替バルブＶ１２２が開かれて、バラストタンク６２１へ供給されていたバラスト水Ｗ２の供給先が切替えられて、バラスト水Ｗ２が、空のバラストタンク６２２へ供給されるように構成されている。切替バルブＶ１２１、１２２、１２３は、後述の切替信号に基づいて、流通先のバラストタンク６２（６２−１、６２−２、６２−３）を切り替える流通先切替手段を構成する。流量計４３は、処理水ラインＬ１１を流通するバラスト水Ｗ２の流量を測定する。
【００２７】
貯留処理水排出ラインＬ１２は、一端部において処理水ラインＬ１１の接続部Ｊ１１に接続しており、他端部からバラスト水（貯留処理水）Ｗ３を排出するラインである。貯留処理水排出ラインＬ１２には、接続部Ｊ１１、バルブＶ１３、貯留処理水排出ポンプＰ１１がこの順で設けられている。
【００２８】
逆洗水流通ラインＬ２１は、一端部において処理水ラインＬ１１の接続部Ｊ２１に接続しており、他端部において逆洗水噴射ノズル６に接続しているラインである。逆洗水流通ラインＬ２１には、バラスト水（濾過処理水）Ｗ２が逆洗水噴射ノズル６に向けて流通する。逆洗水流通ラインＬ２１には、接続部Ｊ２１、バルブＶ２１、逆洗水加圧ポンプＰ２１、逆洗水噴射ノズル６がこの順で設けられている。
【００２９】
ラインの各所には、各種のバルブ及びポンプが設けられている。具体的には、被処理水導入ラインＬ１における接続部Ｊ１よりも上流側には、汲み上げポンプＰ１が設けられている。汲み上げポンプＰ１は、被処理水導入ラインＬ１の一端部から被処理水Ｗ１（主に海水）を汲み上げる。被処理水導入ラインＬ１における汲み上げポンプＰ１と接続部Ｊ１との間には、バルブＶ１が設けられている。被処理水排出ラインＬ２には、バルブＶ２が設けられている。
【００３０】
処理水ラインＬ１１における処理水流出口２６と紫外線リアクタ６１との間（詳細には、接続部Ｊ２１と接続部Ｊ１１との間）には、バルブＶ１１が設けられている。処理水ラインＬ１１における紫外線リアクタ６１とバラストタンク６２との間には、バルブＶ１２が設けられている。貯留処理水排出ラインＬ１２には、バルブＶ１３及び貯留処理水排出ポンプＰ１１が設けられている。
【００３１】
逆洗水流通ラインＬ２１における接続部Ｊ２１と逆洗水加圧ポンプＰ２１との間には、バルブＶ２１が設けられている。逆洗水流通ラインＬ２１におけるバルブＶ２１と逆洗水噴射ノズル６との間には、逆洗水加圧ポンプＰ２１が設けられている。逆洗水加圧ポンプＰ２１は、逆洗水流通ラインＬ２１を流通する水を加圧する。
【００３２】
次に、バラスト水濾過装置２の詳細について説明する。ケーシング５１は、上部開口部及び下部開口部を有する円筒状に形成されており、上部開口部が蓋部１０で密閉され、下部開口部が底部１１で密閉されている。蓋部１０には、エア抜きラインＬ３１が接続されている。エア抜きラインＬ３１には、ケーシング５１の内部のエアを抜くためのエア抜きバルブＶ３１が設けられている。
【００３３】
フィルタ５２は、上部開口部及び下部開口部を有し、全体視で円筒状に形成されている。フィルタ５２の詳細については後述する。ケーシング５１とフィルタ５２との間には、処理水流出空間２７が形成される。上部開口部は、上閉止部１３で密閉されている。下部開口部は、下閉止部１４及び後述する下部回転軸部材１６とで密閉されている。
【００３４】
フィルタ回転手段３は、上部回転軸部材１５と、下部回転軸部材１６と、上部回転軸部材１５を回転させるモータ１７とで構成されている。上部回転軸部材１５は、フィルタ５２の上閉止部１３に、フィルタ５２の軸心位置に軸心方向上向きに突設して設けられている。下部回転軸部材１６は、フィルタ５２の下閉止部１４に、フィルタ５２の軸心位置に軸心方向下向きに突設して設けられている。
【００３５】
上部回転軸部材１５は、ケーシング５１の蓋部１０を貫通し且つシーリングされた軸受部材１８を介して、蓋部１０に回転自在に且つ液密に支持されている。下部回転軸部材１６は、ケーシング５１の底部１１を貫通し且つシーリングされた軸受部材１９を介して、底部１１に回転自在に且つ液密に支持されている。下部回転軸部材１６は、フィルタ５２の内部と連通する管状体となっており、ケーシング５１の底部１１からケーシング５１の外部に突出する。下部回転軸部材１６には、ケーシング５１への被処理水導入口２０が接続されている。
【００３６】
被処理水導入口２０には、被処理水導入ラインＬ１が接続されている。ケーシング５１の側部には、処理水流出口２６が設けられている。処理水流出口２６には、処理水ラインＬ１１が接続されている。
被処理水導入ラインＬ１を流通し且つ被処理水導入口２０から導入された被処理水Ｗ１は、下部回転軸部材１６を通ってフィルタ５２の内部に入る。その被処理水Ｗ１は、フィルタ５２を通過して濾過されて、ケーシング５１とフィルタ５２との間に形成される処理水流出空間２７に入り、処理水流出口２６から流出する。
【００３７】
逆洗汚水排出手段５は、逆洗汚水ラインとしての逆洗汚水集合管２８と、逆洗汚水ラインとしての逆洗汚水排出管２９と、バルブＶ３２とを備える。逆洗汚水集合管２８には、吸引ノズル４で吸引された逆洗汚水Ｗ１１が集合する。逆洗汚水排出管２９は、逆洗汚水集合管２８の下端部に接続し、逆洗汚水Ｗ１１を外部へ排出する。バルブＶ３２は、逆洗汚水排出管２９に設けられている。
【００３８】
逆洗汚水集合管２８においては、上端部が閉鎖し、下端部が開口している。逆洗汚水集合管２８は、フィルタ５２の軸心に配置されている。逆洗汚水集合管２８の上端部は、フィルタ５２の上閉止部１３の中央に設けられた孔に、嵌合して支持されている。逆洗汚水集合管２８の下端部は、フィルタ５２の下閉止部１４の下部回転軸部材１６の内部を、フィルタ５２の回転を妨げないように通り、ケーシング５１の被処理水導入口２０に固定されて支持されている。
【００３９】
逆洗水供給手段７は、フィルタ５２で濾過処理された濾過処理水Ｗ２を加圧して、逆洗水Ｗ２として逆洗水噴射ノズル６に供給する。逆洗水供給手段７は、逆洗水加圧ポンプＰ２１、バルブＶ２１などから構成される。
【００４０】
逆洗水噴射ノズル６は、フィルタ５２の外周面（二次側）に逆洗水Ｗ２を噴射して、フィルタ５２の一次側に堆積した異物を剥離する。剥離した直後に吸引ノズル４による吸引が行われる。逆洗水噴射ノズル６から噴射された逆洗水Ｗ２によりフィルタ５２から剥離した異物は、逆洗汚水排出管２９に設けられたバルブＶ３２を開くことにより、吸引ノズル４により効果的に吸引される。バルブＶ３２の二次側の圧力は大気圧に開放されているため、逆洗汚水集合管２８の内部の圧力がフィルタ５２の二次側の圧力よりも低くなり、フィルタ５２の二次側にある濾過処理水Ｗ２の一部及び逆洗水噴射ノズル６から噴射した逆洗水Ｗ２は、逆洗汚水Ｗ１１となって逆洗汚水集合管２８の内部を流通し、逆洗汚水排出管２９から外部へ排出される。
【００４１】
逆洗水噴射ノズル６に供給される逆洗水としては、本実施形態においては、フィルタ５２で濾過処理された濾過処理水Ｗ２が用いられる。
【００４２】
次に、紫外線照射部としての紫外線リアクタ６１について詳述する。
図２は、本発明の第１実施形態のバラスト水処理装置１の紫外線リアクタ６１を示す、バラスト水Ｗ２の流れに沿った断面図である。図３は、本発明の第１実施形態のバラスト水処理装置１の紫外線リアクタ６１を示す、バラスト水Ｗ２の流れに直交する方向における断面図である。
【００４３】
紫外線リアクタ６１は、紫外線リアクタ６１に流通するバラスト水Ｗ２に紫外線を照射して、バラスト水Ｗ２中の生物・微生物を殺滅する。紫外線リアクタ６１は、ケース６１１と、紫外線ランプ６１２と、保護管６１３と、本体ケース６１４と、紫外線照度センサ６４１と、を有している。
複数の紫外線ランプ６１２は、バラスト水が通されるケース６１１内に設けられている。各紫外線ランプ６１２は、保護管（石英ガラス管）６１３内に液密に直接的に収容されている。
【００４４】
ケース６１１には、バラスト水Ｗ２が通される本体ケース６１４が設けられている。本体ケース６１４は、断面略矩形の筒体から構成され、その軸線方向両端部は、それぞれＬ１１に接続されている。
【００４５】
保護管６１３は、周面に紫外線の透過領域を有しており、図３に示すように、左右の側板６１５、６１６間に架け渡されて保持される。保護管６１３（紫外線ランプ６１２）の本数や配置は、バラスト水（Ｗ２、Ｗ３）の処理能力に応じて適宜設定される。本実施形態では、図２に示すように、８本の保護管６１３が千鳥状に配置されている。
【００４６】
左右の側板６１５、６１６間には、保護管６１３が貫通されたスライドプレート６１７が、左右の側板６１５、６１６間において左の側板６１５、右の側板６１６に対して離間接近するように（図３の左右方向へ）、移動可能に設けられている。
スライドプレート６１７においては、収容部材としての保護管６１３が貫通する貫通孔には、保護管清掃材６１８が設けられている。スライドプレート６１７の外周部には、ケース清掃材６１９が設けられている。また、スライドプレート６１７には、ケース６１１内にバラスト水（Ｗ２、Ｗ３）が存在する状態でスライドプレート６１７を左右に移動可能とするために、開口（図示せず）が形成されている。
【００４７】
清掃部材としての保護管清掃材６１８及びケース清掃材６１９は、ブラシやスクレーパ等により構成され、本実施形態ではブラシ（例えばステンレス製ワイヤによるブラシ）により構成されている。具体的には、保護管清掃材６１８は、スライドプレート６１７の貫通穴において、貫通孔の内方へ突出するように設けられる。また、ケース清掃材６１９は、スライドプレート６１７の外周から外方へ突出するように設けられている。
【００４８】
スライドプレート６１７の移動に伴い、保護管清掃材６１８は保護管６１３の外面に接触しながら移動し、また、ケース清掃材６１９はケース６１１の本体ケース６１４の内面に接触しながら移動する。これにより、保護管６１３の周面の透過領域や、本体ケース６１４の内面に付着している有機物の汚れが拭き取られ清掃される。
【００４９】
紫外線照度センサ６４１は、本体ケース６１４の内部の濾過処理水Ｗ２の流路に配置されている。紫外線照度センサ６４１は、紫外線ランプ６１２から出射され且つ保護管６１３の透過領域を透過した紫外線の照度を測定する。
【００５０】
次に、本実施形態のバラスト水処理装置１の主な動作について簡単に説明する。
（１）バラスト水濾過装置２による被処理水Ｗ１の濾過処理（バラスト水処理運転）
バルブＶ１、バルブＶ１１及びバルブＶ１２を開き、バルブＶ２、バルブＶ１３、バルブＶ２１、バルブＶ３１及びバルブＶ３２を閉じる。この状態で、汲み上げポンプＰ１を駆動させる。これにより、被処理水導入ラインＬ１の一端部から流入した被処理水Ｗ１は、被処理水導入ラインＬ１を流通する。被処理水導入口２０から導入された被処理水Ｗ１は、フィルタ５２で濾過処理され、濾過処理水Ｗ２として処理水流出口２６から排出される。濾過処理水Ｗ２は、処理水ラインＬ１１を流通し、紫外線リアクタ６１により紫外線処理され、バラストタンク６２に貯留処理水Ｗ３として貯留される。
【００５１】
（２）逆洗水噴射ノズル６によるフィルタ５２の逆洗処理（バラスト水処理運転中の逆洗）
バルブＶ１、バルブＶ１１、バルブＶ１２、バルブＶ２１及びバルブＶ３２を開き、他のバルブを閉じて、濾過処理水Ｗ２（逆洗水Ｗ２）が逆洗水噴射ノズル６に向けて流通する状態とする。そして、ケーシング５１及びフィルタ５２の内部にバラスト水（Ｗ２，Ｗ１）が存在した状態で、逆洗水加圧ポンプＰ２１及び吸引ノズル４の吸引を稼働させる。これにより、逆洗水噴射ノズル６からの逆洗水（濾過処理水）Ｗ２は、フィルタ５２に向けて噴射され、逆洗が行われる。
【００５２】
（３）バラストタンク６２から外部への貯留処理水Ｗ３の排水処理
バルブＶ１２及びバルブＶ１３を開き、バルブＶ１１を閉じる。この状態で貯留処理水排出ラインＬ１２に設けられた貯留処理水排出ポンプＰ１１を稼働させる。これにより、バラストタンク６２に貯留される貯留処理水Ｗ３は、紫外線リアクタ６１により紫外線処理され、処理水ラインＬ１１及び貯留処理水排出ラインＬ１２を介して外部に排出される。
【００５３】
次に、バラストタンク６２へバラスト水Ｗ２を供給する際の、バラスト水Ｗ２の供給先（流通先）の切替えの動作について説明する。
先ず、作業者によりバラスト水供給開始スイッチ（図示せず）が操作されることにより、制御部９は、バルブＶ１、バルブＶ１１及び切替バルブＶ１２１を開き、バルブＶ２、バルブＶ１３、バルブＶ２１、バルブＶ３１、バルブＶ３２、切替バルブＶ１２２、及び、切替バルブＶ１２３を閉じるように制御を行う。この状態で、制御部９は、汲み上げポンプＰ１を駆動させる制御を行う。これにより、被処理水導入ラインＬ１の一端部から流入した被処理水Ｗ１は、フィルタ５２で濾過処理され、濾過処理水Ｗ２として処理水ラインＬ１１を流通し、紫外線リアクタ６１により紫外線処理され、バラストタンク６２１にバラスト水Ｗ２として供給される。
【００５４】
バラストタンク６２１にバラスト水Ｗ２が供給された結果、バラストタンク６２１の水位が第１の特定の水位に達していることが、水位検出手段４２により検出されると、制御部９は、報知装置（図示せず）にその旨を報知させる制御を行なう。作業者は、バラストタンク６２１の水位が第１の特定の水位に達していることを認識し、バラスト水Ｗ２の流通先をバラストタンク６２１からバラストタンク６２２へと切替操作をする操作スイッチを操作する。すると、切替信号が操作スイッチ（図示せず）から制御部９へ出力される。
【００５５】
制御部９は、切替信号に基づき、ポンプＰ１、バルブＶ１、Ｖ１１を調整し、紫外線リアクタ６１に流通するバラスト水（濾過処理水）Ｗ２の流量を減少させる。これにより、バラスト水（濾過処理水）Ｗ２でほぼ満たされている状態のバラストタンク６２−１にバラスト水（濾過処理水）Ｗ２が流入する際の抵抗が、空のバラストタンク６２−２へ流通先が切替えられることにより、急激に減少して、紫外線リアクタ６１に流通するバラスト水（濾過処理水）Ｗ２の流量が急激に変化することを阻止可能な状態となる。このため、適切な流量のバラスト水（濾過処理水）Ｗ２が紫外線リアクタ６１に流通し、紫外線リアクタ６１によって、十分に紫外線が照射されたバラスト水（濾過処理水）Ｗ２がバラストタンク６２２へ流入可能な状態となる。
なお、紫外線リアクタ６１に流通するバラスト水（濾過処理水）Ｗ２の流量については、ポンプＰ１、バルブＶ１、バルブＶ１１のうちのいずれか１つにより調整してもよいし、これらのうちの複数を組み合わせて調整してもよい。
【００５６】
そして、この状態で、制御部９は、切替バルブＶ１２１を閉じ、切替バルブＶ１２２を開く制御を、切替バルブＶ１２１、Ｖ１２２に対して行なう。これにより水（濾過処理水）Ｗ２は、バラストタンク６２１へ供給されることが停止され、紫外線リアクタ６１によって、十分に紫外線が照射されたバラスト水（濾過処理水）Ｗ２は、バラストタンク６２２へ供給され始める。
【００５７】
次に、バラストタンク６２からバラスト水Ｗ２を排水する際の、バラスト水Ｗ２の排水元（流通先）の切替えの動作について説明する。
先ず、制御部９による制御により、切替バルブＶ１２１及びバルブＶ１３を開き、他のバルブ（バルブＶ１１等）を閉じる。この状態で、制御部９は、貯留処理水排出ラインＬ１２に設けられた貯留処理水排出ポンプＰ１１を稼働させる制御を行なう。これにより、バラストタンク６２１から排出される貯留処理水Ｗ３は、紫外線リアクタ６１により紫外線処理され、処理水ラインＬ１１及び貯留処理水排出ラインＬ１２を介して外部に排出される。
【００５８】
次に、水位検出手段４２により検出されたバラストタンク６２１の水位が第２の特定の水位に達していることが検出されると、制御部９による制御により、報知装置（図示せず）にその旨が報知される。作業者は、バラストタンク６２１の水位が第２の特定の水位に達していることを認識し、貯留処理水Ｗ３の排出元をバラストタンク６２１からバラストタンク６２２へと切替操作をする操作スイッチを操作する。すると、切替信号が操作スイッチから制御部９へ出力される。
【００５９】
制御部９は、切替信号に基づき、貯留処理水排出ポンプＰ１１、バルブＶ１３を調整し、紫外線リアクタ６１に流通する貯留処理水Ｗ３の流量を減少させる。これにより、バラスト水（濾過処理水）Ｗ２がほぼ空の状態のバラストタンク６２−１から、バラスト水（濾過処理水）Ｗ２でほぼ満たされている状態のバラストタンク６２−２に排出元が切替えられることにより、紫外線リアクタ６１に流通するバラスト水（濾過処理水）Ｗ２の流量が急激に変化することを阻止可能な状態とされる。このため、適切な流量の貯留処理水Ｗ３が紫外線リアクタ６１に流通し、紫外線リアクタ６１によって、十分に紫外線が照射された貯留処理水Ｗ３がバラストタンク６２２から排出可能な状態となる。
なお、紫外線リアクタ６１に流通する貯留処理水Ｗ３の流量については、貯留処理水排出ポンプＰ１１、バルブＶ１３のうちのいずれか１つにより調整してもよいし、両者を組み合わせて調整してもよい。
【００６０】
そして、この状態で、制御部９は、切替バルブＶ１２１を閉じ、切替バルブＶ１２２を開く制御を、切替バルブＶ１２１、切替バルブＶ１２２に対して行なう。これにより貯留処理水Ｗ３は、バラストタンク６２１から排出されることが停止され、バラストタンク６２２からの排出が開始され、紫外線リアクタ６１に流通する。そして、紫外線リアクタ６１によって、十分に紫外線が照射されて紫外線処理された貯留処理水Ｗ３は、処理水ラインＬ１１及び貯留処理水排出ラインＬ１２を介して外部に排出される。
【００６１】
次に、保護管清掃材６１８による紫外線ランプ６１２の清掃の際の、紫外線ランプ６１２の出力の維持の動作について説明する。
紫外線ランプ６１２による紫外線の照射をバラスト水（濾過処理水Ｗ２、貯留処理水Ｗ３）に対して行っているときには、紫外線照度センサ６４１によって紫外線の照度が測定される。制御部９は、流量計４３により検出された、処理水ラインＬ１１を流通するバラスト水Ｗ２、Ｗ３の流量に対して、紫外線照度センサ６４１において適切な照度が得られるように紫外線ランプ６１２による紫外線の照射を行うように、制御部９は、紫外線ランプ６１２に対して紫外線ランプ６１２の出力の制御を行う。
【００６２】
従って、制御部９は、バラスト水（濾過処理水Ｗ２、貯留処理水Ｗ３）の流量に対して、紫外線照度センサ６４１において検出される照度が低いと判断すると、照度を高めるように紫外線ランプ６１２に対して紫外線ランプ６１２の出力を増加させる制御を行う。逆に、制御部９は、バラスト水Ｗ２、Ｗ３の流量に対して、紫外線照度センサ６４１において検出される照度が高いと判断すると、照度を低下させるように紫外線ランプ６１２に対して紫外線ランプ６１２の出力を減少させる制御を行う。
【００６３】
紫外線ランプ６１２による紫外線の照射を行い、所定時間が経過すると、制御部９による制御により、スライドプレート６１７が移動を開始し、紫外線ランプ６１２の保護管６１３の周面の透過領域の清掃が行われる。このとき、スライドプレート６１７が、紫外線ランプ６１２と紫外線照度センサ６４１との間を移動するため、保護管清掃材６１８により紫外線ランプ６１２からの紫外線の一部が一時的に遮断され、紫外線照度センサ６４１によって検出される紫外線の照度が一時的に低下する。これにより、制御部９は、照度が低下したと判断して、紫外線ランプ６１２の出力を増加させるが、一時的な紫外線の遮断が解消されると、制御部９は、照度が高くなったと判断して、紫外線ランプ６１２の出力を減少させる。その結果、紫外線ランプ６１２の出力において不要な増減が生じ、バラスト水（濾過処理水Ｗ２、貯留処理水Ｗ３）に対する紫外線による殺菌処理を不安定にさせてしまうおそれがあった。このように、スライドプレート６１７の移動している間は、制御部９は、紫外線照度センサ６４１によって検出される照度の値に係わらず、紫外線ランプ６１２に対して、紫外線ランプ６１２の出力を維持する制御を行う。このように維持される出力は、この維持が開始される直前の１分間の出力と同一の出力である。
【００６４】
第１実施形態のバラスト水処理装置１によれば、例えば、次のような効果を奏する。
バラスト水処理装置１は、被処理水としてのバラスト水Ｗ１を濾過して濾過処理水Ｗ２を得るフィルタ５２と、フィルタ５２に向けて被処理水Ｗ１が流通する被処理水導入ラインＬ１と、フィルタ５２で濾過された濾過処理水Ｗ２が、濾過処理水Ｗ２を貯留処理水Ｗ３として貯留する複数のバラストタンク６２−１、６２−２、６２−３へ向けて選択的に流通するか、又は、複数のバラストタンク６２−１、６２−２、６２−３から選択的に排出されるバラスト水（貯留処理水Ｗ３）が流通する処理水ラインＬ１１と、切替信号に基づいて、流通先のバラストタンク６２を切り替える流通先切替手段としての切替バルブＶ１２１、Ｖ１２２、Ｖ１２３と、濾過処理水Ｗ２及び／又は貯留処理水Ｗ３に対して紫外線の照射を行う紫外線照射部としての紫外線リアクタ６１と、紫外線リアクタ６１を通過するバラスト水Ｗ２、Ｗ３の流量を調整する紫外線照射部通過流量調整手段（ポンプＰ１、バルブＶ１、Ｖ１１）と、切替信号に基づいて、紫外線リアクタ６１を通過するバラスト水Ｗ２、Ｗ３の流量を減少させるように紫外線照射部通過流量調整手段を制御する流量制御手段としての制御部９と、を備える。
【００６５】
そのため、切替信号に基づいて、制御部９は、紫外線リアクタ６１を通過するバラスト水Ｗ２、Ｗ３の流量を調整することができる。このため、バラスト水（濾過処理水）Ｗ２の供給先が、バラストタンク６２１からバラストタンク６２２へと切替えられる際に、紫外線リアクタ６１に流通するバラスト水（濾過処理水）Ｗ２の流量が急激に変化することを、阻止することができる。この結果、紫外線リアクタ６１に流通するバラスト水（濾過処理水）Ｗ２に対して、紫外線を十分に照射することができ、紫外線リアクタ６１に流通するバラスト水（濾過処理水）Ｗ２における殺菌を十分に行なうことができる。
【００６６】
同様に、貯留処理水Ｗ３の排出元が、バラストタンク６２１からバラストタンク６２２へと切替えられる際に、紫外線リアクタ６１から排出される貯留処理水Ｗ３の流量が急激に変化することを阻止することができる。この結果、紫外線リアクタ６１に流通する貯留処理水Ｗ３に対して、紫外線を十分に照射することができ、紫外線リアクタ６１に流通する貯留処理水Ｗ３における殺菌を十分に行なうことができる。
【００６７】
また、バラスト水処理装置１は、流通先切替手段としての切替バルブＶ１２１、１２２、１２３の切替操作を受け付ける切替操作部を更に備える。切替操作部は、切替バルブＶ１２１、１２２、１２３の切替操作を受け付けると切替信号を出力するように構成されている。
【００６８】
そのため、作業者が切替スイッチを操作することにより、バラスト水（濾過処理水）Ｗ２の流通先が、バラストタンク６２１からバラストタンク６２２へと切替えられる際に、自動的に、紫外線リアクタ６１に流通するバラスト水（濾過処理水）Ｗ２、貯留処理水Ｗ３の流量が急激に変化することが阻止される。
【００６９】
また、紫外線照射部としての紫外線リアクタ６１は、紫外線ランプ６１２と、紫外線ランプ６１２を直接的に収容し且つ紫外線ランプ６１２からの紫外線が透過する透過領域を有する収容部材としての保護管６１３と、保護管６１３に接触しながら移動して保護管６１３の透過領域を清掃する清掃部材としての保護管清掃材６１８と、を有する。バラスト水処理装置１は、紫外線ランプ６１２から出射され且つ透過領域を透過した紫外線の照度を測定する紫外線照度センサ６４１と、保護管清掃材６１８が透過領域を遮るタイミングに基づいて、紫外線ランプ６１２の出力を維持するように紫外線ランプ６１２を制御する照射部制御手段としての制御部９と、を更に備える。
【００７０】
そのため、従来のように、制御部９が、紫外線照度センサ６４１によって検出される照度の値に基づいて、紫外線ランプ６１２の出力を制御する場合には、スライドプレート６１７が、紫外線ランプ６１２と紫外線照度センサ６４１との間を移動することにより、紫外線照度センサ６４１によって検出される照度が低下して紫外線ランプ６１２の出力を増加させる制御が行われ、スライドプレート６１７の移動が完了したときに、紫外線照度センサ６４１によって検出される照度が高くなり紫外線ランプ６１２の出力を減少させる制御が行われ、紫外線ランプ６１２による紫外線の照射が、バラスト水（濾過処理水）Ｗ２、貯留処理水Ｗ３に対して安定して行なわれないことがある。本実施形態は、このような不具合を解消し、バラスト水（濾過処理水）Ｗ２、貯留処理水Ｗ３に対して、安定して紫外線の照射を行なうことができる。
【００７１】
〔第２実施形態〕
次に、本発明の第２実施形態について、図４、図５を参照しながら説明する。
図４は、本発明の第２実施形態のバラスト水処理装置１の制御部９における、バラストタンク６２へのバラスト水Ｗ２の供給の制御を示すフローチャートである。図５は、本発明の第２実施形態のバラスト水処理装置１の制御部９における、バラストタンク６２からのバラスト水Ｗ３の排出の制御を示すフローチャートである。
【００７２】
第２実施形態では、主に第１実施形態との相違点について説明する。このため、第１実施形態と同一（又は同等）の構成については同じ符号を付し、詳細な説明を省略する。また、第２実施形態において特に説明しない点については、第１実施形態の説明が適宜に適用される。
【００７３】
第１実施形態においては、作業者によって操作スイッチ（図示せず）が操作されることにより、切替信号が制御部９に対して出力された。これに対して、第２実施形態においては、バラストタンク６２の貯留処理水Ｗ３の貯留量に基づいて、即ち、バラストタンク６２の水位検出手段４２による第１の特定の水位、第２の特定の水位の検出に基づいて、水位検出手段４２は、切替信号を制御部９へ出力する。
第２実施形態においても、第１実施形態と同様の効果が奏される。
【００７４】
バラストタンク６２へバラスト水Ｗ２を供給する際の、バラスト水Ｗ２の供給先（流通先）の切替えの動作について、図４に参考にして説明する。
先ず、作業者による操作により、前述のように、バラスト水濾過装置２による被処理水Ｗ１の濾過処理（バラスト水処理運転）が開始されると、ステップＳ１１において、制御部９による流量制御処理が開始される。そして、制御部９による処理は、ステップＳ１２へ進む。
【００７５】
ステップＳ１２において、制御部９は、バルブＶ１、バルブＶ１１及び切替バルブＶ１２１を開き、バルブＶ２、バルブＶ１３、バルブＶ２１、バルブＶ３１及びバルブＶ３２を閉じる制御を行う。この状態で制御部９は、汲み上げポンプＰ１を駆動させる制御を行う。これにより、被処理水導入ラインＬ１の一端部から流入した被処理水Ｗ１は、フィルタ５２で濾過処理され、濾過処理水Ｗ２として処理水ラインＬ１１を流通し、紫外線リアクタ６１により紫外線処理され、バラストタンク６２１に貯留処理水Ｗ３として供給される。そして、制御部９による処理は、ステップＳ１３へと進む。
【００７６】
次に、ステップＳ１３において、制御部９は、水位検出手段４２により検出されたバラストタンク６２１の水位が第１の特定の水位に達していることを検出したか否かの判断を行う。バラストタンク６２１の水位が第１の特定の水位に達していると制御部９が判断すると（ＹＥＳ）、制御部９による処理は、ステップＳ１４へと進む。バラストタンク６２１の水位が特定の水位に達していないと制御部９が判断すると（ＮＯ）、制御部９による処理は、ステップＳ１２へと戻る。
【００７７】
次に、ステップＳ１４において、水位検出手段４２は、制御部９に対して、切替信号を出力する。そして、制御部９による処理は、ステップＳ１５へと進む。
【００７８】
次に、ステップＳ１５において、制御部９は、切替信号に基づき、ポンプＰ１、バルブＶ１、Ｖ１１を調整し、紫外線リアクタ６１に供給されるバラスト水（濾過処理水）Ｗ２の流量を減少させる制御を行なう。これにより、バラスト水（濾過処理水）Ｗ２でほぼ満たされている状態のバラストタンク６２−１にバラスト水（濾過処理水）Ｗ２が流入する際の抵抗が、空のバラストタンク６２−２へ流通先が切替えられることにより、急激に減少して、紫外線リアクタ６１に流通するバラスト水（濾過処理水）Ｗ２の流量が急激に変化することを阻止可能な状態となる。このため、適切な流量のバラスト水（濾過処理水）Ｗ２が紫外線リアクタ６１に流通し、紫外線リアクタ６１によって、十分に紫外線が照射されたバラスト水（濾過処理水）Ｗ２がバラストタンク６２２へ流入可能な状態となる。そして、制御部９による処理は、ステップＳ１６へと進む。
なお、紫外線リアクタ６１に流通するバラスト水（濾過処理水）Ｗ２の流量については、ポンプＰ１、バルブＶ１、バルブＶ１１のうちのいずれか１つにより調整してもよいし、これらのうちの複数を組み合わせて調整してもよい。
【００７９】
次に、ステップＳ１６において、制御部９は、切替バルブＶ１２１を閉じ、切替バルブＶ１２２を開く制御を、切替バルブＶ１２１、Ｖ１２２に対して行なう。これによりバラスト水（濾過処理水）Ｗ２は、バラストタンク６２１へ供給されることが停止され、紫外線リアクタ６１によって、十分に紫外線が照射されたバラスト水（濾過処理水）Ｗ２は、バラストタンク６２２へ供給され始める。
【００８０】
次に、バラストタンク６２からバラスト水Ｗ２を排水する際の、バラスト水Ｗ２の排水元（流通先）の切替えの動作について図５を参照して説明する。
先ず、作業者による操作により、前述のように、バラスト水濾過装置２による貯留処理水Ｗ３の排水処理が開始されると、ステップＳ２１において、制御部９による流量制御処理が開始される。そして、制御部９による処理は、ステップＳ２２へ進む。
【００８１】
ステップＳ２２において、制御部９による制御により、バルブＶ１２及びバルブＶ１３を開き、他のバルブ（バルブＶ１１等）を閉じる。この状態で制御部９は、貯留処理水排出ラインＬ１２に設けられた貯留処理水排出ポンプＰ１１を稼働させる制御を行なう。これにより、バラストタンク６２１から排出される貯留処理水Ｗ３は、紫外線リアクタ６１により紫外線処理され、処理水ラインＬ１１及び貯留処理水排出ラインＬ１２を介して外部に排出される。そして、制御部９による処理は、ステップＳ２３へ進む。
【００８２】
ステップＳ２３において、制御部９は、水位検出手段４２により検出されたバラストタンク６２１の水位が第２の特定の水位に達していることを検出したか否かの判断を行う。バラストタンク６２１の水位が第２の特定の水位に達していると制御部９が判断すると（ＹＥＳ）、制御部９による処理は、ステップＳ２４へと進む。バラストタンク６２１の水位が第２の特定の水位に達していないと制御部９が判断すると（ＮＯ）、制御部９による処理は、ステップＳ２２へと戻る。
【００８３】
次に、ステップＳ２４において、水位検出手段４２は、制御部９に対して、切替信号を出力する。そして、制御部９による処理は、ステップＳ１５へと進む。
【００８４】
次に、ステップＳ２５において、制御部９は、切替信号に基づき貯留処理水排出ポンプＰ１１、バルブＶ１３を調整し、紫外線リアクタ６１に流通する貯留処理水Ｗ３の流量を減少させる。これにより、バラスト水（濾過処理水）Ｗ２がほぼ空の状態のバラストタンク６２−１から、バラスト水（濾過処理水）Ｗ２でほぼ満たされている状態のバラストタンク６２−２に排出元が切替えられることにより、紫外線リアクタ６１に流通するバラスト水（濾過処理水）Ｗ２の流量が急激に変化することを阻止可能な状態とされる。このため、適切な流量の貯留処理水Ｗ３が紫外線リアクタ６１に流通し、紫外線リアクタ６１によって、十分に紫外線が照射された貯留処理水Ｗ３がバラストタンク６２２から排出可能な状態となる。そして、制御部９による処理は、ステップＳ２６へと進む。
なお、紫外線リアクタ６１に流通する貯留処理水Ｗ３の流量については、貯留処理水排出ポンプＰ１１、バルブＶ１３のうちのいずれか１つにより調整してもよいし、両者を組み合わせて調整してもよい。
【００８５】
次に、ステップＳ２６において、制御部９は、切替バルブＶ１２１を閉じ、切替バルブＶ１２２を開く制御を、切替バルブＶ１２１、Ｖ１２２に対して行なう。これにより貯留処理水Ｗ３は、バラストタンク６２１から排出されることが停止され、バラストタンク６２２からの排出が開始され、紫外線リアクタ６１に流通する。そして、紫外線リアクタ６１によって、十分に紫外線が照射されて紫外線処理された貯留処理水Ｗ３は、処理水ラインＬ１１及び貯留処理水排出ラインＬ１２を介して外部に排出される。
【００８６】
以上、本発明の好ましい実施形態について説明した。しかし、本発明は、上述した実施形態に限定されることなく、種々の形態で実施することができる。
例えば、本実施形態では、スライドプレート６１７が移動している間は、制御部９は、紫外線照度センサ６４１によって検出される照度の値に係わらず、紫外線ランプ６１２に対して、紫外線ランプ６１２の出力を維持する制御を行ったが、この制御に限定されない。例えば、スライドプレート６１７が移動している間は、制御部９は、紫外線照度センサ６４１によって検出される照度の値に係わらず、紫外線ランプ６１２に対して、紫外線ランプ６１２の出力を増加させて最大とする制御を行ってもよい。
【００８７】
また、本実施形態では、各紫外線ランプ６１２は、保護管６１３内に液密に直接的に収容されていたが、この構成に限定されない。例えば、各紫外線ランプ６１２は、収容容器に間接的に収容されてもよい。また、バラスト水処理装置の各部の構成は、本実施形態におけるバラスト水処理装置１の各部の構成に限定されない。例えば、バラストタンクの個数は、本実施形態におけるバラストタンク６２の個数に限定されない。
【符号の説明】
【００８８】
１  バラスト水処理装置
９  制御部（流量制御手段、照射部制御手段）
４２  水位検出手段（貯留量測定手段）
５２  フィルタ
６１  紫外線リアクタ（紫外線照射部）
６２  バラストタンク
６１２  紫外線ランプ
６１３  保護管（収容部材）
６１８  保護管清掃材（清掃部材）
６４１  紫外線照度センサ
Ｌ１  被処理水導入ライン
Ｌ１１  処理水ライン
Ｖ１、Ｖ１１  バルブ（紫外線照射部通過流量調整手段）
Ｖ１２１、Ｖ１２２、Ｖ１２３  切替バルブ（流通先切替手段）
Ｗ１  被処理水
Ｗ２  濾過処理水
Ｗ３  貯留処理水
【図１】
0006582934.tif 000002
【図２】
0006582934.tif 000003
【図３】
0006582934.tif 000004
【図４】
0006582934.tif 000005
【図５】
0006582934.tif 000006